(57)【要約】【課題】  コンピュータ等の機器の操作が苦手な人であっても、簡易に伝えるべき情報を送信することが可能な情報通信システムを提供する。【解決手段】  専用ペーパー１０にメッセージ記入欄とは別に宛先指定領域を用意しておくとともに、送信端末３０には、宛先指定情報とコンピュータネットワーク４０における宛先を対応づけて記録しておき、電子ペン２０が取得した軌跡情報のうち宛先指定領域から取得した軌跡情報に基づいてコンピュータネットワーク４０における宛先を取得して、メッセージ記入欄から取得した軌跡情報を送信する。【選択図】  図１
2005234950.tif 000002
【特許請求の範囲】
【請求項１】
インクペンユニットと光学的にドットパターンを読み取る読取ユニット及び読み取った情報を軌跡情報として外部に伝達する情報伝達手段とを備える電子ペンを利用して、送信側の端末装置である送信端末から、受信側の端末装置である受信端末に情報を通信するシステムであって、
前記ドットパターンが形成されていると共に、送信先を記入するための宛先指定領域が形成された専用ペーパーを有し、
前記送信端末は、前記専用ペーパーから前記電子ペンが取得した情報を受信する手段と、前記受信した情報のうち、前記電子ペンが前記宛先指定領域から取得した宛先指定情報を元にコンピュータネットワークにおける宛先を特定する宛先特定手段と、前記特定された宛先に、前記軌跡情報を送信する送信手段を有し、
前記受信端末は、前記送信端末から受信した軌跡情報を画面上に表示させる表示制御手段を有するものであることを特徴とする情報通信システム。
【請求項２】
前記電子ペンは、前記専用ペーパーから、さらにペーパー種別情報を取得し、
前記送信端末は、さらに前記電子ペンから受信した前記ペーパー種別情報を前記受信端末に送信するものであり、
前記受信端末は、前記送信端末から受信した前記ペーパー種別情報に対応する表示枠を表示させると共に、当該表示枠に従って前記軌跡情報を表示させるものであることを特徴とする請求項１に記載の情報通信システム。
【請求項３】
前記受信端末は、前記専用ペーパーに記入枠として印刷されている絵柄と、同一の絵柄を表現した画像を記録しておき、当該画像を表示枠として表示させるものであることを特徴とする請求項２に記載の情報通信システム。
【発明の詳細な説明】
【技術分野】
【０００１】
本発明は、筆記の軌跡を記録することが可能な電子ペンを利用した情報伝達技術に関する。
【背景技術】
【０００２】
従来より、他人に要件を簡易に伝達するために、ペン等で用紙に要件を記入して伝えることが行われている。このような用紙としては、メモ用紙を剥離可能に積層したブロックメモと呼ばれる形態のものが利用されており、実際の使用時には１枚ずつ剥離して使用されている。
【０００３】
一方、近年では、コンピュータ技術の発展により、コンピュータネットワークを利用して、情報を伝えたい側から伝えられる側に伝達することが行われている。この代表的なものとしては、いわゆる電子メールが挙げられる。
【０００４】
上記電子メール等を利用した伝達手法では、遠隔地への情報の伝達が可能であるため、近年では頻繁に利用されている。しかしながら、キーボード等の操作に不慣れであると使いこなせず、全く無意味なものとなってしまうという問題があった。最近では、この点を解決すべく、タブレット上に手書きした文字を認識して伝達する手法も開発されてきている。
【発明の開示】
【発明が解決しようとする課題】
【０００５】
しかしながら、上記手書き文字の認識を行う手法であっても、タブレット等の機器を必要とし、機器操作が苦手な人にとっては、その利用に抵抗があり、結局あまり使用されないという問題がある。
【０００６】
上記のような点に鑑み、本発明は、コンピュータ等の機器の操作が苦手な人であっても、簡易に伝えるべき情報を送信することが可能な情報通信システムを提供することを課題とする。
【課題を解決するための手段】
【０００７】
上記課題を解決するため、本発明では、情報通信システムを、インクペンユニットと光学的にドットパターンを読み取る読取ユニット及び読み取った情報を軌跡情報として外部に伝達する情報伝達手段とを備える電子ペンを利用して、送信側の端末装置である送信端末から、受信側の端末装置である受信端末に情報を通信するシステムであり、前記ドットパターンが形成されていると共に、送信先を記入するための宛先指定領域が形成された専用ペーパーを有し、前記送信端末は、前記専用ペーパーから前記電子ペンが取得した情報を受信する手段と、前記受信した情報のうち、前記電子ペンが前記宛先指定領域から取得した宛先指定情報を元にコンピュータネットワークにおける宛先を特定する宛先特定手段と、前記特定された宛先に、前記軌跡情報を送信する送信手段を有し、前記受信端末は、前記送信端末から受信した軌跡情報を画面上に表示させる表示制御手段を有する構成としたことを特徴とする。
【発明の効果】
【０００８】
本発明によれば、専用ペーパーにメッセージ記入欄とは別に宛先指定領域を用意しておくとともに、送信端末には、宛先指定情報とコンピュータネットワークにおける宛先を対応づけて記録しておき、電子ペンが取得した軌跡情報のうち宛先指定領域から取得した軌跡情報に基づいてコンピュータネットワークにおける宛先を取得して、メッセージ記入欄から取得した軌跡情報を送信するようにしたので、コンピュータ等の機器の操作が苦手な人であっても、簡易に伝えるべき情報を送信することが可能となるという効果を奏する。
【発明を実施するための最良の形態】
【０００９】
以下、本発明の好適な実施形態について、図面を参照して詳細に説明する。
（システム構成）
図１は、本発明に係る情報通信システムの一実施形態を示すシステム構成図である。図１において、１０は専用ペーパー、２０は電子ペン、３０は送信端末、４０はネットワーク、５０は受信端末である。
【００１０】
専用ペーパー１０は、電子ペンで読み取るためのドットパターンが印刷されたものである。電子ペン２０は、インクペンユニット、光学的にドットパターンを読み取る読取ユニット、読み取った情報を軌跡情報として外部に伝達する情報伝達手段を備えており、専用ペーパー１０上に筆記することができると共に、その筆記の軌跡情報を取得することができる。送信端末３０はパーソナルコンピュータ等の端末装置に、専用のソフトウェアを搭載することにより実現される。ネットワーク４０は、送信端末３０と受信端末５０間においてデータの送受信を行うための通信回線であり、インターネット、ＬＡＮ等各種の通信形態が適用できる。受信端末５０も、送信端末３０と同様パーソナルコンピュータ等の端末装置に、専用のソフトウェアを搭載することにより実現される。なお、専用ペーパー１０と電子ペン２０を用いて、筆記の軌跡情報を取得してＰＣ端末に送信する機能については、特開２００３−３３５０８２号公報に示すように周知の技術であるので詳細な説明は省略する。
【００１１】
図２は、本実施形態で用いる専用ペーパーを多数重ねて、上端で仮留めし、ブロックメモ状としたものである。利用者は、このブロックメモから専用ペーパー１０を１枚ずつ剥して利用することができる。
【００１２】
本実施形態で用いる専用ペーパー１０を１枚剥した状態を図３に示す。図３に示すように、専用ペーパー１０には、メッセージ記入欄１１、宛先指定欄１２が設けられていると共に、絵柄１３が印刷されている。メッセージ記入欄１１は、伝えたい内容を記入するための欄である。宛先指定欄（記入欄）１２は、メッセージを伝える相手を特定するための宛先を指定する欄である。絵柄１３は、専用ペーパー１０のメモ用紙としての意匠性を高めるために設けられるものであり、本実施形態では、動物を模したキャラクターを用いている。なお、専用ペーパー１０には、図３に示した絵柄や文字、罫線の他にドットパターンが印刷されていることは上述の通りである。
【００１３】
（処理の流れ）
まず、送信に用いる端末装置、受信に用いる端末装置それぞれに、送信端末として機能するソフトウェア、受信端末として機能するソフトウェアをインストールする。これは、ＣＤ−ＲＯＭ等の配布された記録媒体から行っても良いし、インターネット上の配信サーバ等（図示省略）からダウンロードしても良い。通信機能を有するソフトウェアは通常、送信側として機能するソフトウェアと受信側として機能するソフトウェアは１つのパッケージとなっていることが多い。そのため、ここでもこのようなソフトウェアをインストールすると、端末装置は、送信端末、受信端末双方の機能を有することになる。ただし、ここでは、説明の便宜上、一方を送信端末３０、他方を受信端末５０として説明することにする。
【００１４】
この結果、送信端末３０は、電子ペン２０から受信した情報のうち宛先を表す軌跡情報を認識してアドレスリストから送信先アドレスを取得する機能、電子ペン２０から受信した情報のうちメッセージを表す軌跡情報およびペーパーＩＤを、取得した送信先アドレスに送信する機能を有することになる。また、アドレスリストには、送信者が正式な送信先アドレスと送信先となる人の名前等を対応づけて登録しておくことができる。一方、受信端末５０は、専用ペーパー１０に印刷された絵柄１３に対応する表示枠画像６３も同時にダウンロードし、ペーパーＩＤと対応付けられた状態で保有することとなる。また、受信端末５０は、送信端末３０から受信したペーパーＩＤに対応する表示枠画像６３を抽出し、受信したメッセージを表す軌跡情報と共に、画面上に表示する機能を有することになる。
【００１５】
このような状態で、送信者が専用ペーパー１０上のメッセージ記入欄１１に電子ペン２０によりメッセージを記入すると、電子ペン２０の機能によりメッセージの筆記の軌跡が電子ペン２０内部に記録される。続いて、電子ペン２０にて宛先指定欄１２に宛先を記入すると、宛先の筆記の軌跡が電子ペン２０内部に記録される。このときの、専用ペーパー１０の状態を図４に示す。図４に示すように、専用ペーパー１０のメッセージ記入欄１１には、「こんにちは！お元気ですか？」というメッセージが記入されていると共に、宛先として「クウちゃん」という宛名が記入されている。電子ペン２０側では、取得した軌跡を、その軌跡がメッセージであるか、宛先であるかを示す情報とともに、送信端末３０に送信する。また、同時に、その専用ペーパーを特定するペーパーＩＤも送信する。
【００１６】
送信端末３０では、受信した軌跡情報のうち宛先として指定されているものを文字認識して文字コードに変換する。続いて、文字コードに変換された宛先で、送信先アドレスリストを検索し、送信先アドレスを取得する。送信アドレスとしては、例えば、ＩＰアドレス、電子メールアドレス等を記録しておくことができる。送信先アドレスが取得されたら、そのアドレスに、メッセージとして取得された軌跡情報およびペーパーＩＤを送信する。ここでは、ネットワーク４０を介して受信端末５０にメッセージの軌跡情報およびペーパーＩＤが送信されることになる。
【００１７】
受信端末５０では、軌跡情報およびペーパーＩＤを受信すると、受信したペーパーＩＤに従った表示枠画像を抽出し、受信した軌跡情報を、抽出した表示枠画像上にレイアウトして画面に表示させる。この際、送信元のアドレスで送信元アドレスリストを検索して、あらかじめ登録された送り主情報を取得し、この送り主情報も表示する。この結果、受信端末５０には、図５に示すような画面が表示される。
【００１８】
図５において、６０は受信端末５０の表示画面、６１はメッセージ表示欄、６２は送り主表示欄、６３は表示枠画像である。メッセージ表示欄６１は、受信した軌跡情報を表示するための欄である。送り主表示欄６２は、送信元アドレスリストから抽出された送り主情報を表示する欄である。表示枠画像６３は、受信したペーパーＩＤに従って抽出された表示枠画像である。この表示枠画像６３は、専用ペーパー１０の絵柄１３と同一の絵柄となっている。そのため、受信端末５０側では、送信者が専用ペーパー１０に記入した状態と全く同じ状態が画面に表示されることになる。すなわち、単にメッセージを伝えるだけでなく、送信者が現実にメモ用紙に記載した状態がそのまま受信端末５０の画面に表示されるのである。
【図面の簡単な説明】
【００１９】
【図１】本発明に係る情報通信システムの構成図である。
【図２】専用ペーパー１０をブロックメモ状に積層した状態を示す図である。
【図３】専用ペーパー１０を１枚剥した状態を示す図である。
【図４】専用ペーパー１０にメッセージ等を記入した状態を示す図である。
【図５】受信端末５０の表示画面を示す図である。
【符号の説明】
【００２０】
１０・・・専用ペーパー
２０・・・電子ペン
３０・・・送信端末
４０・・・ネットワーク
５０・・・受信端末
【図１】
2005234950.tif 000003
【図２】
2005234950.tif 000004
【図３】
2005234950.tif 000005
【図４】
2005234950.tif 000006
【図５】
2005234950.tif 000007